(57)【要約】【課題】  圧縮空気を動力源としたうえで、駆動時の騒音を低減できるとともに塵埃を湿らせた状態で捕集することができる空気式集塵装置を提供する。【解決手段】工業用空気式集塵装置１０は、圧縮空気を動力源として塵埃を吸い込む集塵機１１と、該集塵機１１と液供給ノズル１３で接続されることで該液供給ノズル１３を介して該集塵機１１の内部に液体を供給する貯液タンク１２とを備え、集塵機１１の内部で塵埃と液体を混ぜることで該塵埃を湿った状態にして捕集するものであり、集塵機１１の内部から空気を排気する排気ノズル１５の先端を貯液タンク１２のタンク本体２１に接続することで該タンク本体２１内に集塵機１１の排気を送り込むとともに、該排気によってタンク本体２１の内部の風車２２を回転させ、該風車２２によってタンク本体２１の内部に貯留された液体を汲み上げて、この汲み上げた液体を液供給ノズル１３に供給する。【選択図】図１
2014046061.tif 000002
【特許請求の範囲】
【請求項１】
圧縮空気を動力源として塵埃を吸い込む集塵機と、
該集塵機と液供給ノズルで接続されることで該液供給ノズルを介して該集塵機の内部に液体を供給する貯液タンクと、
を備えており、前記集塵機の内部で前記塵埃と前記液体を混ぜることで該塵埃を湿った状態にして捕集するように構成した空気式集塵装置であって、
前記集塵機は、内部に塵埃を吸い込むための吸引ノズルと、内部から空気を排気する排気ノズルとを有しており、
前記貯液タンクは、前記液体を貯留するタンク本体と、該タンク本体の内部で液体を汲み上げる風車とを有しており、
前記集塵機の排気ノズルの先端を前記貯液タンクのタンク本体に接続することで該タンク本体内に前記集塵機の排気を送り込むとともに、
前記集塵機の排気を上記貯液タンクの風車に当てることで該風車を回転させて前記液体を汲み上げ、汲み上げた液体を前記液供給ノズルを介して集塵機の内部に供給する
ことを特徴とする空気式集塵装置。
【請求項２】
前記風車は、前記貯液タンクのタンク本体の内部において回転支持軸を介して軸支されたベース板を有し、該ベース板には前記集塵機からの排気を受ける複数の羽根板と、液汲樋が取り付けられており、
前記液汲樋をその周壁に液汲孔が形成された筒状とし、かつ上記ベース板側へ向かう一端が他端よりも低くなるように配し、
また前記ベース板には前記液汲樋の内部と連通する液滴下孔を設け、
さらに前記貯液タンクの内部において前記液供給ノズルの端部には、前記液滴下孔が臨む液受皿を取り付けることにより、
前記集塵機からの排気を前記羽根板に受けて前記風車が前記回転支持軸を中心に回転することに伴い、前記液汲樋が前記タンク本体の内部の液体に浸かり、前記液汲孔から前記液汲樋の内部に前記液体が汲まれるとともに、
前記液汲樋の内部に汲まれた液体は、前記液滴下孔から前記液受皿へ滴下されて前記液供給ノズルへ供給される
請求項１に記載の空気式集塵装置。
【請求項３】
前記集塵機の内部において、前記液供給ノズルの端部には、該液供給ノズルを介して供給された液体が溜まる液溜皿が設けられ、
前記液溜皿に前記液体を一時的に溜めたうえで、負圧状態となっている該集塵機の内部に該液体を吸引させることにより、該液体を前記集塵機の内部に分散させて霧状とする
請求項１又は請求項２に記載の空気式集塵装置。
【発明の詳細な説明】
【技術分野】
【０００１】
本発明は、圧縮空気を動力源として塵埃を吸い込み、かつ該塵埃を湿った状態で捕集する空気式集塵装置に関するものである。
【背景技術】
【０００２】
従来、製造ライン上においては、製造される部品への塵埃の付着による不良を避けるべく、一定レベル以上の衛生状態を保つための清掃作業が行われており、この清掃作業では種々の集塵装置が使用されている。またこうした塵埃は、カーボン粉などのような可燃性のものを含んでいることが多く、湿らせた状態で捕集することが望ましい。
【０００３】
塵埃を湿らせた状態で捕集可能な集塵装置として、例えば特許文献１には、ウォーターパン（水皿）に予め入れておいた捕塵用水に吸引した塵埃を含む吸気を接触させて捕塵する湿式の電気掃除機が開示されている。特許文献２には、空気中の水分を使って塵埃を湿らせるようにしたブラシモーターによって駆動する集塵装置が開示されている。特許文献３には、ブロワモーターによって駆動する工業用乾湿両用掃除機が開示されている。また、特許文献４には、集塵機の操作性を向上させるべく、空気式集塵機の動作を開始または停止させるためのスイッチを、該空気式集塵機の本体にホースを介して接続される吸引ノズルに設けた構成が開示されている。
【先行技術文献】
【特許文献】
【０００４】
【特許文献１】特開平７−２２２７０４号公報
【特許文献２】特開２００９−３９２５３号公報
【特許文献３】特開２００９−２６８６４４号公報
【特許文献４】特開２００１−１８７００８号公報
【発明の概要】
【発明が解決しようとする課題】
【０００５】
ところが、上記従来構成の集塵装置は、塵埃を湿らせた状態で捕集することができるとはいえ、電気を動力源としており、塵埃を湿らせるための水等といった液体で故障するおそれがあり、さらには電気そのものが可燃性の塵埃へ引火して火災を起こす原因になるおそれがある。
【０００６】
一方、集塵装置としては、電気を動力源とするものの他に、特許文献４に示すような、圧縮空気を動力源とするものが提供されており、このような圧縮空気を動力源とするものであれば、液体で故障したり、火災原因になったりすることは殆ど無い。しかし、上記のような圧縮空気を動力源とするものは、騒音が非常にうるさく、また塵埃を湿らせた状態で捕集することが出来るものが提供されていないという問題があった。
【０００７】
そこで本発明は、このような従来技術に存在する問題点に着目し、圧縮空気を動力源としたうえで、駆動時の騒音を低減できるとともに塵埃を湿らせた状態で捕集することができる空気式集塵装置を提供することを目的とする。
【課題を解決するための手段】
【０００８】
本発明は、圧縮空気を動力源として塵埃を吸い込む集塵機と、該集塵機と液供給ノズルで接続されることで該液供給ノズルを介して該集塵機の内部に液体を供給する貯液タンクと、を備えており、前記集塵機の内部で前記塵埃と前記液体を混ぜることで該塵埃を湿った状態にして捕集するように構成した空気式集塵装置であって、前記集塵機は、内部に塵埃を吸い込むための吸引ノズルと、内部から空気を排気する排気ノズルとを有しており、前記貯液タンクは、前記液体を貯留するタンク本体と、該タンク本体の内部で液体を汲み上げる風車とを有しており、前記集塵機の排気ノズルの先端を前記貯液タンクのタンク本体に接続することで該タンク本体内に前記集塵機の排気を送り込むとともに、前記集塵機の排気を上記貯液タンクの風車に当てることで該風車を回転させて前記液体を汲み上げ、汲み上げた液体を前記液供給ノズルを介して集塵機の内部に供給することを特徴とする空気式集塵装置である。
【０００９】
上記構成によれば、集塵機からの排気は、貯液タンクの内部に送り込まれ、該貯液タンクの内部で解放されるので、該排気が直接的に外部へ解放されず、該排気による騒音の発生を低減することができる。また集塵機の動力源を圧縮空気としたことに加え、貯液タンクのタンク本体の内部で液体の汲み上げには、電気を動力源とするポンプ等を使用せず、集塵機からの排気による風車の回転を利用しているので、火災原因となることを抑制することができる。そして、貯液タンクから集塵機へと供給された液体は、該集塵機の内部で塵埃と混じり、該塵埃を湿った状態にするため、該塵埃の再度の飛散と可燃性の塵埃への引火のおそれとを抑制することができる。
【００１０】
また、前記風車は、前記貯液タンクのタンク本体の内部において回転支持軸を介して軸支されたベース板を有し、該ベース板には前記集塵機からの排気を受ける複数の羽根板と、液汲樋が取り付けられており、前記液汲樋をその周壁に液汲孔が形成された筒状とし、かつ上記ベース板側へ向かう一端が他端よりも低くなるように配し、また前記ベース板には前記液汲樋の内部と連通する液滴下孔を設け、さらに前記貯液タンクの内部において前記液供給ノズルの端部には、前記液滴下孔が臨む液受皿を取り付けることにより、前記集塵機からの排気を前記羽根板に受けて前記風車が前記回転支持軸を中心に回転することに伴い、前記液汲樋が前記タンク本体の内部の液体に浸かり、前記液汲孔から前記液汲樋の内部に前記液体が汲まれるとともに、前記液汲樋の内部に汲まれた液体は、前記液滴下孔から前記液受皿へ滴下されて前記液供給ノズルへ供給される構成が好ましい。
【００１１】
上記構成によれば、風車の回転を利用した液体の汲み上げに際して、液汲樋が液汲孔からその内部へ該液体を好適に汲み上げることができ、また該液汲樋は、ベース板側へ向かう一端が他端よりも低くなるように配してあるから、内部へ汲み上げた液体を液滴下孔から液受皿へ良好に滴下することができる。
【００１２】
また、前記集塵機の内部において、前記液供給ノズルの端部には、該液供給ノズルを介して供給された液体が溜まる液溜皿が設けられ、前記液溜皿に前記液体を一時的に溜めたうえで、負圧状態となっている該集塵機の内部に該液体を吸引させることにより、該液体を前記集塵機の内部に分散させて霧状とする構成が好ましい。
【００１３】
上記構成によれば、液供給ノズルの集塵機側の端部に液溜皿を設け、液溜皿に液体を一時的に溜めることで、一度に大量の液体が該集塵機の内部に流れ込み、塵埃を湿らせないまま該集塵機の底部等にたまってしまうことを抑制することができる。また負圧状態となっている前記集塵機の内部に該液体を吸引させて該液体を前記集塵機の内部に分散させて霧状とすることにより、該液体と塵埃が好適に混合されるので、該塵埃を略確実に湿った状態として捕集することができる。
【発明の効果】
【００１４】
本発明によれば、圧縮空気を動力源としたうえで、駆動時の騒音を低減できるとともに塵埃を湿らせた状態で捕集することができる空気式集塵装置を提供することができる。
【図面の簡単な説明】
【００１５】
【図１】空気式集塵装置の概要を示す説明図。
【図２】貯液タンクの部分平面図。
【図３】貯液タンクの部分縦断面図。
【図４】液溜皿を示す縦断面図。
【発明を実施するための形態】
【００１６】
以下に、主に工業用として使用される空気式集塵装置を具体化した一実施形態について、図面を用いて説明する。
【００１７】
図１に示すように、工業用空気式集塵装置１０は、圧縮空気を動力源として塵埃を捕集する集塵機１１と、貯液タンク１２とを備えている。また該集塵機１１と、該貯液タンク１２との間には、液供給ノズル１３が接続されている。
【００１８】
上記集塵機１１は、耐圧チューブ等を介してコンプレッサー等と接続され、その内部で圧縮空気を通過させることにより、該内部を負圧状態とし、塵埃を吸い込むように構成されたものである。したがって、該集塵機１１は、その内部に塵埃を吸い込むための吸引ノズル１４と、内部を圧縮空気が通過してなる排気を外部へと排出する排気ノズル１５とを有している。
【００１９】
なお上記塵埃は、工場の製造ライン等で発生するものであり、例えば鉄粉、アルミニウム粉、カーボン粉、プラスチック粉等といった粉体や、繊維屑などが挙げられ、略確実に可燃性の粉塵を含んでいる。
【００２０】
上記貯液タンク１２は、タンク本体２１を有しており、該タンク本体２１の内部には液体が貯留されている。この液体には、上記塵埃を湿らせることができるものであって、可燃性でないものを使用することが好ましく、水、化学合成油、鉱物油等が例示される。
【００２１】
前記タンク本体２１の上部には、上記集塵機１１から延びる排気ノズル１５の一端が接続されている。そして排気ノズル１５から排出された上記集塵機１１の排気は、該タンク本体２１の内部で解放され、内部に貯留された液体等に緩衝されて風向きを変えられるようになっており、該排気に伴って生じる騒音が低減されている。
【００２２】
前記タンク本体２１の上部において、上記排気ノズル１５の一端が接続された箇所からごく近い箇所には、上記液供給ノズル１３の一端が接続されている。さらに、該タンク本体２１の内部で、上記排気ノズル１５の一端が接続された箇所と、上記液供給ノズル１３の一端が接続された箇所の間には、風車２２が設けられている。
【００２３】
前記風車２２は、該排気ノズル１５の一端から排出される排気を受けて回転し、該タンク本体２１の内部に貯留された液体を汲み上げて、該液供給ノズル１３へ送り込む。すなわち上記貯液タンク１２は、上記集塵機１１の排気による騒音を低減するとともに、上記液供給ノズル１３を介して内部に貯留された液体を上記集塵機１１の内部へ供給するものである。また該集塵機１１へ供給された液体は、該集塵機１１の内部で塵埃と混ざり合い、該塵埃を湿った状態とする。
【００２４】
さらに詳述すると、図２に示すように、上記風車２２は、上記貯液タンク１２のタンク本体２１の内部において、回転支持軸３１を介して軸支された円板状のベース板３２と、該ベース板３２の対向位置に配置されて該回転支持軸３１を介し該ベース板３２に繋がった円板状の支持板３３とを有している。
【００２５】
前記ベース板３２の一面上（外面上）には、複数の羽根板３４が取り付けられており、該複数の羽根板３４は、該ベース板３２の中心から放射状に延びるように配置されている。
【００２６】
ここで、前記風車２２は、前記回転支持軸３１が上記排気ノズル１５の端部が延びる方向と直交する方向へ延びるように配置されている。このため該風車２２は、上記排気ノズル１５から空気が排気された際、該空気を前記羽根板３４で受けることで、前記回転支持軸３１を中心に回転する。また上記タンク本体２１の内部において液体は、上記回転支持軸３１の位置まで貯留されるようになっており、従って該風車２２は回転する際に、その下半部が常に液体中に浸かるように構成されている。
【００２７】
一方、前記ベース板３２の他面上（内面上）であって、該ベース板３２と前記支持板３３との間には、液汲樋３５が架け渡されている。該液汲樋３５は、円筒状をなし、その周壁には複数の液汲孔３６が貫通形成されている。また円筒状をなす該液汲樋３５の両端開口のうち、前記支持板３３側の開口は該支持板３３によって塞がれているが、前記ベース板３２側の開口は、該液汲樋３５の端部を該ベース板３２を貫通して外側へ突出させることで開口されたままとなっており、該ベース板３２には、該液汲樋の内部と連通する液滴下孔３７が形成されている。さらに該液汲樋３５は、下記に述べる滴下位置において上記ベース板３２側へ向かう一端が他端よりも低くなるように斜めに傾いて配されている。
【００２８】
また、前記液汲樋３５は、複数が前記ベース板３２の周縁に沿って、略等間隔おきに配設されている。そして、上記風車２２が回転する際、該液汲樋３５は、液体中に浸かっている間に前記液汲孔３６からその内部へと液体を汲み上げる。そして、該液汲樋３５は、該ベース板３２と前記支持板３３との間で傾いて配されていることから、上記風車２２の回転によって液体中から脱した際、液汲樋３５は滴下位置となり、内部に汲み上げた液体を前記液滴下孔３７から滴下させる。
【００２９】
また上記風車２２の近縁位置において、ベース板３２の外側であって、該風車２２の液滴下孔３７が臨む位置には、漏斗状をなす液受皿３８が配設されており、該液受皿３８の下部には上記液供給ノズル１３の端部が接続されている。そして該液受皿３８は、図１に示すように、上記液汲樋３５の液滴下孔３７から滴下された液体を受け、該液供給ノズル１３内へ液体を供給する。
【００３０】
図４に示すように、上記集塵機１１の内部において、上記液供給ノズル１３の端部には液溜皿４１が設けられている。また該液溜皿４１には、該液溜皿４１の内部と、該集塵機１１の内部とを連通する連通孔４２が設けられている。
【００３１】
前記液溜皿４１の内部には、前記液供給ノズル１３を介して上記貯液タンク１２から供給された液体が一時的に溜められる。この液溜皿４１に溜められた液体は、稼働時において上記集塵機１１の内部は負圧状態となっていることから、前記連通孔４２から該集塵機１１の内部へ少量ずつ吸引されるが、この吸引の際に該連通孔４２の周縁で梳られるようにして分散され、霧状となる。そして霧状となった液体は、該集塵機１１の内部において、負圧による渦流によって塵埃とともに巻き上げられ、該塵埃と混じり合い、該塵埃を湿らせる。
【００３２】
本発明の工業用空気式集塵装置は、必ずしも上記した実施形態の構成に限定されず、以下のように変更してもよい。
上記液溜皿４１を省略し、液供給ノズル１３の端部を上記連通孔４２に直接的に接続してもよい。
上記風車２２は、排気による空気で回転し、液体を汲み上げるように構成されているのであれば、例えばベース板３２の内面上に断面円弧状の板体を複数枚取り付け、風車２２の回転に伴って該板体で液体をすくい上げるとともに、液受皿３８を風車２２の周縁部分に配置し、風車２２の回転に伴って該板体から滴り落ちる液体を該液受皿３８で受けるように構成してもよい。
また、前記タンク本体２１には、所望量の液体が貯留されているか否かを報知する液量報知手段が備え付けられていてもよい。また、該タンク本体２１には、液体を該タンク本体２１内に随時供給可能な液体供給管が接続されていてもよい。さらに、該タンク本体２１には、タンク本体２１内の液体に含まれる不純物を除去するための、不純物除去手段が配設されていてもよい。
【符号の説明】
【００３３】
１０    工業用空気式集塵装置
１１    集塵機
１２    貯液タンク
１３    液供給ノズル
１４    吸引ノズル
１５    排気ノズル
２１    タンク本体
２２    風車
３１    回転支持軸
３２    ベース板
３４    羽根板
３５    液汲樋
３６    液汲孔
３７    液滴下孔
３８    液受皿
４１    液溜皿
【図１】
2014046061.tif 000003
【図２】
2014046061.tif 000004
【図３】
2014046061.tif 000005
【図４】
2014046061.tif 000006